(57)【要約】【課題】酸化チタンの光触媒機能を、長期間にわたって効率的に発揮させて、環境改善機能に優れた建材を提供する。【解決手段】施工空間の空気環境を改善する機能を有する建材１０であって、少なくとも表面が多孔質構造であり調湿機能を有する調湿基材１２と、調湿基材１２の表面に存在する多孔質構造の細孔１４に、バインダーを介さずに担持された、光触媒機能を有する酸化チタン微粒子２０とを備える。【選択図】　図１
2004076494.tif 000002
【特許請求の範囲】
【請求項１】
施工空間の空気環境を改善する機能を有する建材であって、
少なくとも表面が多孔質構造であり調湿機能を有する調湿基材と、
前記調湿基材の表面に存在する多孔質構造の細孔に、バインダーを介さずに担持された、光触媒機能を有する酸化チタン微粒子と
を備える環境改善機能を有する建材。
【請求項２】
前記調湿基材が、吸放湿量１００ｇ／ｍ２以上であり、吸湿速度１５ｇ／ｍ２・ｈ以上である
請求項１に記載の建材。
【請求項３】
前記調湿建材が、調湿タイル、化粧調湿石膏ボード、化粧セメントボードからなる群から選ばれる何れか一つである
請求項１または２に記載の建材。
【請求項４】
前記調湿建材が、表面の透水度２０００ｇ／ｍ２以上である
請求項１〜３の何れかに記載の建材。
【請求項５】
請求項１〜４に記載の建材を製造する方法であって、
前記調湿建材の表面に、前記酸化チタン微粒子の供給源がＴｉ濃度として０．４〜５．０重量％含有され、実質的にバインダ−成分を含まない水溶液を、塗布量１０〜５００ｇ／ｍ２で塗布し乾燥させる
環境改善機能を有する建材の製造方法。
【発明の詳細な説明】
【０００１】
【発明の属する技術分野】
本発明は、環境改善機能を有する建材およびその製造方法に関し、詳しくは、住宅の室内壁面などに施工されたときに、室内空間の空気環境に対して、湿度の調整や臭いの除去、有害ガス成分の除去など、環境を改善する機能を発揮することができる建材と、このような建材を製造する方法とを対象にしている。
【０００２】
【従来の技術】
住宅の室内壁面に施工される内装仕上げ材として、珪藻土などの調湿材を含有する調湿建材を使用することが行われている。調湿建材は、室内環境の空気中に過剰の湿気が含まれているときには、空気中の湿気を吸湿保持することで、室内環境の湿度を下げ、室内環境が乾燥してくると、吸湿保持した水分を環境中に放出することで環境の湿度を上げる作用がある。その結果、室内環境は一定の湿度範囲に調整され、居住者にとって快適な湿度環境が維持できる。
調湿建材に含まれる調湿材として、ホルムアルデヒドやアンモニアなどを吸着する機能のある材料を使用すると、室内に設置された家具や壁紙などから放出されシックハウス症候群の原因になるとされている揮発ガス成分を、調湿建材に吸着して、室内環境から除去することができる。調湿建材に、脱臭機能を持たせることもできる。
【０００３】
さらに、内装仕上げ材となるタイルや塗料に、光触媒機能を有する酸化チタンを配合しておく技術も知られている。酸化チタンの光触媒機能は、表面に付着した有機物などを分解することができ、前記した揮発ガス成分を分解して、無害な物質に変えることができる。
前記した調湿建材の材料に酸化チタンを配合しておくこと技術も提案されている。調湿建材に含まれる調湿材で、臭い成分や揮発ガス成分を効率的に吸着保持したあと、これらの吸着成分を酸化チタンが分解してしまえば、吸着成分で調湿材が飽和してしまうことがなく、長期間にわたって室内環境を良好に維持できるとされている。
【０００４】
【発明が解決しようとする課題】
ところが、前記した従来における酸化チタンの利用技術では、酸化チタンが有する有害物質の分解作用が十分に発揮できないという問題がある。
その理由として、酸化チタンに光触媒機能を発揮させるには、光が十分に当たる必要があるのに対し、例えば、調湿建材に配合された酸化チタンは、調湿建材の材料で覆われてしまって、光との接触が十分に行われないことがある。酸化チタンを含有する塗料を、壁面や建材の表面に塗工する技術でも、酸化チタンが塗膜成分に覆われてしまって、酸化チタンに光が十分に当たらない。酸化チタンが塗膜などで覆われると、光が当たり難いだけでなく、酸化チタンが対象物質と接触することも阻害されて分解作用も損なわれる。さらに、酸化チタン含有塗料を調湿建材の表面に塗工すると、調湿建材の調湿材と外気との接触あるいは湿気の流通を、塗工膜が阻害してしまい、調湿機能そのものも低下してしまうことがある。
【０００５】
酸化チタンの微粒子を直接に、建材や壁面に付着させるようにすれば、酸化チタンへの光の接触は良好に行えるが、経時的に酸化チタンの微粒子が脱落してしまい、酸化チタンによる光触媒機能が直ぐに無くなってしまう。長期間にわたる環境改善性能が要求される建材の場合、実用性に劣るものである。
本発明の課題は、前記した酸化チタンの光触媒機能を、長期間にわたって効率的に発揮させて、環境改善機能に優れた建材を提供することである。
【０００６】
【課題を解決するための手段】
本発明にかかる環境改善機能を有する建材は、施工空間の空気環境を改善する機能を有する建材であって、多孔質材料からなり、調湿機能を有する調湿基材と、前記調湿基材の表面に存在する多孔質構造の細孔に、バインダーを介さずに担持された、光触媒機能を有する酸化チタン微粒子とを備える。
〔調湿基材〕
通常の建築施工に利用されている調湿機能を有する建材と同様の材料および構造が採用できる。但し、少なくとも表面に多孔質構造を有するものを使用する。
【０００７】
多孔質構造を有する調湿基材の具体例としては、珪藻土などの調湿材を含有する調湿タイル、調湿石膏ボード、調湿セメントボード、ケイカル板などが挙げられる。
調湿基材は、材料そのものが多孔質構造で調湿機能を有する材料からなるものであってもよいし、基材の材料自体は調湿機能を有さないが、そこに調湿機能に優れた調湿材を配合することで多孔質構造になり調湿機能を発揮するものであってもよい。調湿機能を有しない材料層と、調湿機能を有する多孔質材料層とを積層したり貼り合わせたりしたものであってもよい。調湿機能は有するが表面が多孔質構造ではない調湿材や調湿基材は、本発明の調湿基材には使用できない。
【０００８】
調湿建材は、少なくとも酸化チタン微粒子を担持する表面が、多孔質構造である。酸化チタン微粒子の担持領域よりも内部側は、多孔質構造でなくても構わないが、調湿機能や吸着機能を効果的に発揮させるためには、多孔質構造であることが望ましい。
調湿基材は、調湿材などの原料を成形硬化させたものであってもよいし、成形物をさらに焼成したものであってもよい。調湿基材の原料には、調湿材のほかに、粘土、石膏や漆喰、セメントなどの水硬性無機材料、その他の各種バインダー成分、着色成分、ガラス、硬化調整剤などを配合しておくことができる。調湿材と成形硬化成分とを兼用できる材料もある。但し、多孔質構造の形成を阻害したり細孔を埋めてしまったりする材料は好ましくないので、そのような材料は配合量を制限することが望ましい。調湿基材の原料を造粒し、得られた造粒物をプレス成形することもできる。
【０００９】
調湿基材は、表面の透水度（ＪＩＳ　Ａ５４０３−２４時間透水）が１０００ｇ／ｍ２以上であるものが好ましく、２０００ｇ／ｍ２以上であるものがより好ましい。透水度が低過ぎると、酸化チタン微粒子の担持処理が行い難く、安定的に担持させておくことが難しい。透水度が高いと、後述する酸化チタン生成液が、細孔内部まで浸透して、細孔の奥にまで酸化チタン微粒子を担持させることが行い易い。その結果、耐久性に優れた酸化チタン担持構造が得られる。
調湿基材は、吸放湿量１００ｇ／ｍ２以上であり、吸湿速度１５ｇ／ｍ２・ｈ以上であるものが好ましい。
【００１０】
＜調湿材＞
調湿基材に調湿機能を与える調湿材としては、通常の調湿建材と同様の調湿材が使用できる。
調湿材の具体例として、珪藻土、珪質頁岩、アロフェン、イモゴライト、酸性白土、セオイオライト、ゼオライト、珪酸カルシウム、シリカゲル、ベントナイト、モンモリロナイト、炭類などが挙げられる。珪質頁岩は、細孔容積が大きく吸放湿性に優れた材料である。複数の調湿材を組み合わせることもできる。
調湿材の多孔質構造として、平均細孔半径が２０〜１００Åで比表面積が２０〜２００ｍ２／ｇのものが好ましく、さらには２０〜６０Åで比表面積が２０〜２００ｍ２／ｇのものが好ましい。
【００１１】
調湿材は、調湿基材の全体に対して２０〜９５重量％を含有させておくことができる。
＜化粧層＞
調湿基材の表層部には、外観上の意匠性や表面質感などを向上させる化粧層を配置しておくことができる。化粧層は、調湿基材の本体と同様の材料で形成したり、本体と同様の材料に、着色剤などを添加した材料で形成したりすることができる。
化粧層は、調湿基材の材料と化粧層の材料を積層成形したり、同時焼成したりして形成できる。調湿基材を製造した後、その表面に化粧層の材料を積層したり塗工したりし、乾燥硬化や焼成によって、化粧層を一体化させることができる。
【００１２】
調湿基材が化粧層を備えている場合、化粧層の表面に多孔質構造を備えている必要がある。また、化粧層の多孔質構造に酸化チタン微粒子が担持され易くするため、透水度が優れていることが望ましい。前記した調湿基材の好ましい透水度条件は、化粧層にも適用される。化粧層を有する調湿基材も、前記した吸放湿量および吸湿速度の条件を満足していることが望ましい。
〔酸化チタン微粒子〕
酸化チタンは、光触媒機能を有効に発揮できるものであれば、その化学構造および結晶構造などは、特に限定されない。
【００１３】
酸化チタン微粒子は、その結晶構造によって、光触媒機能に違いが生じる。ルチル型よりもアナターゼ型のＴｉＯ２結晶が、光触媒機能に優れている。
酸化チタン微粒子は、調湿基材の表面に存在する多孔質構造の細孔に担持される。
したがって、酸化チタン微粒子の粒径は、細孔径よりも小さいか同じ程度までである。具体的には、酸化チタン微粒子の粒径は、１ｎｍ〜１μｍの範囲に設定できる。粒径が小さいほど、調湿基材の微細な細孔にも担持され易いが、粒径が小さ過ぎると、細孔から脱落したり、製造および取り扱いが難しくなったりする。酸化チタン微粒子は、細孔内に、単層で担持されていてもよいし、複層に担持されていてもよい。
【００１４】
調湿建材の表面に当たる光が、酸化チタン微粒子に効率的に照射されるように、調湿建材の表面近くに酸化チタン微粒子が担持されていることが望ましい。
調湿建材の表面積当たりに存在する酸化チタン微粒子の量が多いほど、光触媒機能が発揮できるが、酸化チタン微粒子の量を増やすとコストが高くつく割に性能向上が少ない。通常は、酸化チタン微粒子が０．１〜１５ｇ／ｍ２の割合で存在するようにしておく。
調湿建材の表面には、多数の細孔が開口しており、そのうちの一部または全部に酸化チタン微粒子が収容される。酸化チタン微粒子が存在しない細孔があっても構わない。細孔は、酸化チタン微粒子で塞がれていてもよいが、酸化チタン微粒子が担持された状態でも細孔の奥側が外部と通気可能であれば、細孔による調湿機能などが良好に果たされ、酸化チタン微粒子による有機物等の光分解作用も生じ易くなる。水分やガスは、調湿基材の細孔だけでなく材料自体にも吸収されるので、酸化チタン微粒子が細孔を塞いでいても、調湿基材の調湿機能や吸着機能は発揮できる。
【００１５】
＜酸化チタン微粒子の担持方法＞
酸化チタン微粒子は、予め粉体状に調製されたものを、調湿建材の表面に散布したり塗り付けたりすることもできるが、粉体のままでは、細孔の内部には入り難く、細孔に担持させることが難しい。
そこで、酸化チタン微粒子を含有する液体を、調湿建材の表面に塗工し、液体が細孔に吸収されるのとともに酸化チタン微粒子を細孔内に送り込み、その後、液体分を蒸発させて、酸化チタン微粒子だけを細孔内部に担持させる方法が採用できる。液体が蒸発してしまえば、酸化チタン微粒子の表面が露出した状態で、細孔に担持される。
【００１６】
調湿建材の表面に塗工する液体として、酸化チタン微粒子をそのまま分散させた分散液のほか、液体を蒸発させたり加熱処理や焼成処理を行ったりすることで酸化チタン微粒子を生成する酸化チタン微粒子の供給源を含む水溶液が使用できる。
酸化チタン微粒子を生成する水溶液として、特開平９−７１４１８号公報に開示されたチタニア膜形成用液体が使用できる。このチタニア膜形成用液体は、チタン溶液と塩基性溶液から作製した水酸化チタンゲルに過酸化水素水を作用させ合成することができる。この液体には、過酸化状態の水酸化チタンが含まれている。この液体を調湿基材に塗布し、細孔内に含浸させたあと、乾燥させると、酸化チタン微粒子が生成する。前記液体を、８０℃以上で加熱処理を行って結晶化した酸化チタン微粒子を含む液体を得た後、この酸化チタン微粒子を含む液体を、調湿基材に塗布してもよい。塗工後または塗工前に加熱処理を施すことで、酸化チタンの結晶構造を調整することができる。
【００１７】
酸化チタン微粒子の供給源を含む水溶液を使用する場合、酸化チタン微粒子の供給源がＴｉ濃度として０．４〜５．０重量％含有された水溶液を、調湿基材に塗布量１０〜５００ｇ／ｍ２で塗布して、生成した酸化チタン微粒子を調湿基材の細孔に担持させることができる。
【００１８】
【発明の実施の形態】
図１、２に示す建材１０は、建築物の室内空間に面する内装仕上げ材となる板状の調湿建材１０である。
図２に示すように、建築物の壁構造３０の表面に、多数の調湿建材１０を貼り付けて、内装仕上げを施す。
図１（ａ）に示すように、調湿建材１０は、矩形板状をなす調湿基材１２と、調湿基材１２の表面領域に担持された酸化チタン微粒子２０とを有する。調湿基材１２として、石膏ボードに珪質頁岩からなる調湿材を含有させた調湿石膏ボードが使用できる。具体的には、「さわやか石膏ボード」（商品名：チヨダウーテ社製）が使用される。
【００１９】
図１（ｂ）に示すように、調湿基材１２は、不定形の細孔１４が、表面から内部までにわたって存在している。この細孔１４は、湿気や臭い成分などを取り込んで吸着する機能を有している。調湿基材１２の細孔１４のうち、表面に近い領域には、酸化チタン微粒子２０が担持されている。酸化チタン微粒子２０は、調湿基材１２の細孔１４に物理的に嵌り込んで支持されていて、酸化チタン微粒子２０の表面が露出した状態であり、バインダーによって接着されているものではない。
酸化チタン微粒子２０は、調湿基材１２の細孔１４を完全に塞いではおらず、酸化チタン微粒子２０が存在しない細孔１４や、酸化チタン微粒子２０が収容されていても酸化チタン微粒子２０の側方を通気可能になっている細孔１４が存在している。図１（ｂ）では説明を判り易くするために、酸化チタン微粒子２０を大きく示しているが、実際には、細孔１４よりもかなり小径の酸化チタン微粒子２０が、細孔１４の内壁に存在するミクロ状の凹凸あるいは孔に嵌り込んだ状態になっていたり、細孔１４の枝分かれした凹部に嵌り込んでいたりする。
【００２０】
酸化チタン微粒子２０は、前記した特開平９−７１４１８号公報の実施例に記載されたチタニア膜形成用液体を、調湿基材１２の表面に塗布し乾燥させることで、調湿基材１２の表面に担持させた。
上記のような構造を有する調湿建材１０を、図２に示すようにして、建築物の室内壁面の内装仕上げ材として使用すると、調湿基材１２が有する調湿機能や脱臭機能、揮発性ガスの吸着機能などが有効に発揮される。
しかも、調湿基材１２の細孔１４に担持された酸化チタン微粒子２０は、調湿建材１０の表面に当たる室内照明の光や外光の作用によって、光触媒機能を発揮する。調湿基材１２に吸着された臭い成分や揮発性成分（例えば、ホルマリン、アンモニア等）が、酸化チタン微粒子２０の光触媒機能によって分解され、無臭化および無害化される。酸化チタン微粒子２０は、その表面がバインダーなどで覆われていないので、光の吸収および周囲の有機物質の分解作用が良好に発揮される。また、調湿基材１２に吸収された水分に雑菌やカビが発生したり繁殖したりしようとしても、酸化チタン微粒子２０の抗菌作用によって、雑菌やカビの発生および繁殖は抑制される。
【００２１】
酸化チタン微粒子２０は、調湿基材１２の細孔１４内に担持されているので、調湿建材１０の表面に触れたり擦ったりしても、酸化チタン微粒子２０が脱落し難い。バインダーなどで接着されていなくても、酸化チタン微粒子２０を確実に担持しておくことができ、長期間にわたって、酸化チタン微粒子２０の優れた光触媒機能を有効に発揮させることができる。
【００２２】
【実施例】
〔酸化チタン生成液の調製〕
特開平９−７１４１８号公報に記載されたチタニア膜形成用液体の製造技術を利用した。
原料として、四塩化チタン６０％溶液５ｃｃに蒸留水を加えて５００ｃｃとした溶液に、アンモニア水（アンモニア１：水９）を滴下し、水酸化チタンを沈殿させた。蒸留水で洗浄後、過酸化水素水３０％溶液を１０ｃｃ加えてかき混ぜ、チタンを含有する黄色粘性液体（ゾル溶液）７０ｃｃを得た。
【００２３】
〔調湿建材の製造〕
調湿機能を有する調湿基材として、大きさ１０ｃｍ×１０ｃｍの「さわやか石膏ボード」（商品名：チヨダウーテ社製）を用いた。
前項で得られた酸化チタン生成液を、調湿基材の表面に、塗膜厚６０μｍになるように塗り、常温で２週間乾燥させ、調湿建材を製造した。得られた調湿建材は、多孔質構造を有する調湿基材の表面において、細孔の内部に酸化チタン微粒子が担持されていることが確認された。
〔性能評価試験〕
得られた調湿建材に対して、吸放湿性能やガス除去性能を評価する試験を行なった。
【００２４】
＜吸放湿試験＞
試験片の裏面および側面を、粘着剤付アルミテープでシールし、２５℃、５０％ＲＨの条件下で２４時間放置し、重量を測定した（重量Ａ）。その後、同じ試験片を、２５℃、９０％ＲＨの条件下で２４時間放置し、重量を測定した（重量Ｂ）。さらに、同じ試験片を、２５℃、５０％ＲＨの条件下で２４時間放置し、重量を測定した（重量Ｃ）。
次式により吸湿量および放湿量を算出した。
吸湿量＝（重量Ｂ−重量Ａ）／試験面積
放湿量＝（重量Ｂ−重量Ｃ）／試験面積
＜ホルムアルデヒド除去試験＞
テドラーバック（商品名：テドラー社製）５Ｌに、試験片を入れ、さらに、ホルムアルデヒドガス濃度が１５０ｐｐｍの気体を封入した。２４時間後に、ガス検知器を用いて、ホルムアルデヒドガス濃度を測定した。
【００２５】
次に、テドラーバックに収容されたままの試験片に、照射強度１ｍＷ／ｃｍ２のブラックライトを１時間照射したあと、前記同様にして、ホルムアルデヒド濃度を測定した。
＜試験片＞
実施例１：前記調湿建材（表面の細孔に酸化チタンが担持されている）。
比較例１：実施例１の調湿基材で、酸化チタン生成液を塗布しないもの。
比較例２：実施例１の調湿基材に、酸化チタン生成液の代わりに、ポリウレタン樹脂塗料Ｖトップ（商品名：大日本塗料社製）を塗布したもの。
【００２６】
＜試験結果＞
【００２７】
【表１】
2004076494.tif 000003
【００２８】
＜評価＞
（１）　実施例１は、比較例１に比べて、表面に酸化チタンを担持させている分だけ、吸放湿性は低いが、建築物の室内空間における調湿機能としては十分に実用的な性能を示す。
（２）　比較例２では、表面に塗工された塗膜が、調湿基材の表面の細孔を塞いでいるため、吸放湿性能が極端に低下しており、十分な調湿機能は発揮できない。
（３）　実施例１では、酸化チタンによるガス分解作用が有効に発揮されているため、ホルムアルデヒドを効率的に吸着除去できている。しかも、光照射によって、さらにホルムアルデヒドの吸着除去性能が高まっている。これは、照射された光が、酸化チタンの微粒子に効率的に吸収されて、光触媒機能が有効に発揮されていることを裏付けている。
【００２９】
（４）　比較例２では、ホルムアルデヒドの吸着除去はほとんど達成できず、光を照射しても全く変化はない。なお、比較例１については、ホルムアルデヒド除去試験を省略したが、比較例２と同じように、ホルムアルデヒドの吸着除去はほとんど達成できないか、調湿基材そのものの吸着作用によって、少量のホルムアルデヒドは吸着できるものと推定できる。この場合も、光を照射しても、さらなる吸着除去は起こらない。
【００３０】
【発明の効果】
本発明にかかる環境改善機能を有する建材は、調湿基材の表面に存在する多孔質構造の細孔に、光触媒機能を有する酸化チタン微粒子がバインダーを介さずに担持されているので、建材の施工状態で、建材の表面に光が当たったときに、酸化チタン微粒子に光が効率的に作用して光触媒機能を有効に発揮させことができる。調湿基材に吸着された臭い成分や環境に有害なガス成分などが、酸化チタン微粒子の光触媒機能によって効率的に分解され無害化される。
その結果、施工空間の空気環境に対して、調湿機能、脱臭機能、ガス成分除去機能などを効率的かつ長期間にわたって継続的に発揮させることができ、施工空間の環境改善に大きく貢献することができる。
【図面の簡単な説明】
【図１】本発明の実施形態を表す建材の斜視図
【図２】表面の模式的構造図
【符号の説明】
１０　　調湿建材
１２　　調湿基材
１４　　細孔
２０　　酸化チタン微粒子
【図１】
2004076494.tif 000004
【図２】
2004076494.tif 000005